(57)【要約】【課題】蝉の産卵管の挿入等による光ファイバ断線被害を回避するため、光ファイバ心線ｆ両側に防護テープｔを縦添えした自己支持型引込用光ケーブルにおいて、該光ケーブルに光ファイバ心線取出用ノッチ部Ｎを設けることなく、上記光ケーブルから上記光ファイバ心線ｆを容易に取り出せるようにすること。【解決手段】防護テープｔで挾持した光ファイバ心線ｆの幅方向両端に高張力の引裂き紐Ｔを隣接して縦添えし、これらをケーブルシースＣ1で被覆して光エレメント部Ｅを構成し、該光エレメント部Ｅの上記シースＣ1の幅方向両端を、上記引裂き紐Ｔで引裂くことにより上記シースＣ1が表側と裏側とに分割されて光ファイバ心線ｆが露出し取り出されるようにした自己支持型引込用光ケーブル。【選択図】図  １
2006113219.tif 000002
【特許請求の範囲】
【請求項１】
光ファイバ心線ｆをケーブルシースＣ1で被覆した長尺の光エレメント部から成ると共に、上記光ファイバ心線ｆと平行な支持線材Ｓの被覆Ｃ2が上記ケーブルシースＣ1と一体化されている自己支持型引込用光ケーブルにおいて、
上記光ファイバ心線の表裏両側に防護テープを縦添えして光ファイバ心線を挟持し、
光ファイバ心線の幅方向両端に高張力の引裂き紐を隣接して縦添えし、
上記光エレメント部のケーブルシースＣ1の幅方向両端を、上記引裂き紐で引裂くことにより上記ケーブルシースＣ1が表側と裏側とに分割されて光ファイバ心線ｆが露出されるようになっている、自己支持型引込用光ケーブル。
【請求項２】
ホットメルト性接着層を介して上記防護テープを上記ケーブルシースＣ1の内面に接着させている請求項１の自己支持型引込用光ケーブル。
【請求項３】
上記防護テープが厚さ０．１ｍｍのステンレステープである請求項１の自己支持型引込用光ケーブル。
【請求項４】
上記ホットメルト性接着フィルムを上記防護テープに積層し、ケーブルシースＣ1を押し出し成形する時に該ホットメルト性接着フィルムを溶融させ、上記防護テープを上記ケーブルシースＣ1の内面に接着させている請求項２の自己支持型引込用光ケーブル。
【請求項５】
上記引裂き紐がアラミド繊維製の１０００デニールの抗張力線材である請求項１又は請求項２の自己支持型引込用光ケーブル。
【発明の詳細な説明】
【技術分野】
【０００１】
この発明は、ＦＴＴＨ（Ｆｉｂｅｒ Ｔｏ Ｔｈｅ Ｈｏｍｅ）光通信網における自己支持型の加入引込用光ケーブルに関するものであり、蝉などの虫害及びリス、カラス等の鳥獣から光ファイバ心線を効果的に保護或は防護することができるものである。
【背景技術】
【０００２】
従来の自己支持型の引込用光ケーブルは、例えば図４に示すようなもので、単数又は複数の光ファイバ心線ｆと、その左右両側に配置された光エレメント用の抗張力体ＲとをケーブルシースＣ1で被覆した長尺の光エレメント部Ｅから成ると共に、首部ｍを介して抗張力体Ｒ，Ｒと平行な支持線材Ｓの被覆Ｃ2が一体化されたものであり、このものは、ケーブルシースＣ1の外面、すなわち、抗張力体Ｒ，Ｒを結ぶ線と平行な外面に対抗して光ファイバ心線ｆの両側において垂直にＶノッチＮが形成されている。このＶノッチＮは、ケーブルシースＣ1を中央で縦方向に２分割して光ファイバ心線ｆを露出させて光ファイバを容易に取り出せるようにしたものである。
【０００３】
上記従来の自己支持型の加入引込用光ケーブルについては、蝉がＶノッチＮの部分に産卵管を突き刺し、光ファイバ心線ｆを損傷させ、その結果、光ファイバ心線ｆの伝送効率を著しく損なう事故が発生している。これは、蝉がＶノッチＮの底に産卵管を突き刺し易いことと、ＶノッチＮの底と光ファイバ心線ｆとが接近していて、ＶノッチＮの底に突き刺した産卵管が光ファイバ心線ｆに向かってて当該光ファイバ心線ｆに到達する可能性が高いためである。そして、ＦＴＴＨの普及に伴ってこのような事故が多く発生することが報告されており、この問題への対策が求められている。
【０００４】
ケーブルシースＣ1に設けたＶノッチＮを廃止すれば、ケーブルシースＣ1に突き刺された産卵管が光ファイバ心線ｆに達してこれを損傷させる可能性は小さくなる。また、光ファイバ心線が図５の例のようなテープ心線を備えた自己支持型の加入引込用光ケーブルである（特開２００３−９０９４２号公報）場合は、突き刺された産卵管が光ファイバ心線ｆに達してこれを損傷させる可能性は小さくない。そこで、テープ心線の表裏両面に防護テープを縦添えして光ファイバ心線ｆを表裏から挟持して、これで虫害等から光ファイバ心線ｆを保護することが発明されている（先行技術で特願２００４−２５８０４２号に係る発明）。
【特許文献１】特開２００３−９０９４２号公報
【特許文献２】特願２００４−２５８０４２号明細書
【発明の開示】
【発明が解決しようとする課題】
【０００５】
上記先行技術によると、蝉の産卵管による光ファイバ心線の損傷は防止されるが、上記のように防護テープが介在しているために、分岐、接続等のために光ファイバ心線ｆを簡単・容易に取り出すことはできない。
そこで、この発明の課題は、自己支持型引込用光ケーブルについてＶノッチを廃止しても、ケーブルシースを容易に分割して光ファイバ心線ｆを取り出せるように、光エレメント部Ｅの構造を工夫したことである。
【課題を解決するための手段】
【０００６】
〔解決手段１〕
上記課題を解決するための手段は、光ファイバ心線ｆをケーブルシースＣ1で被覆した長尺の光エレメント部Ｅから成ると共に、光ファイバ心線ｆと平行な支持線材Ｓの被覆Ｃ2がケーブルシースＣ1と一体化されている自己支持型引込用光ケーブルにおいて、次の（イ）〜（ハ）のようにしたことである。
（イ）光ファイバ心線の表裏両側に防護テープを縦添えして光ファイバ心線を挟持し、
（ロ）光ファイバ心線の幅方向両端に高張力の引裂き紐を隣接して縦添えし、
（ハ）光エレメント部ＥのケーブルシースＣ1の幅方向両端を、上記引裂き紐で引裂くことによりケーブルシースが表側と裏側とに分割されて光ファイバ心線ｆが露出されるようにしたこと。
【０００７】
〔作用〕
光エレメント部Ｅのケーブルシースの表面にＶノッチはなく（図１参照）、光ファイバ心線の表裏両側に防護テープを縦添えして光ファイバ心線を挟持しているので、蝉の産卵管が突き刺さっても、その先端が光ファイバ心線ｆに達することは防護テープｔ（図１の金属テープｔ参照）によって確実に阻止される。
光エレメント部ＥのケーブルシースＣ1の幅方向外端部をカッターで切除し、光ファイバ心線ｆに隣接して縦添えされた引裂き紐Ｔを外側方向に引っ張ると、ケーブルシースＣ1の幅方向外端が横方向に引裂かれ、当該ケーブルシースＣ1が表側と裏側とに分離され、防護テープｔ及び光ファイバ心線ｆが露出するので、容易に光ファイバ心線ｆを取り出すことができる。
引裂き紐Ｔが高張力線材であるから抗張力材の機能をも奏し、また、防護テープｔが抗張力材としても機能するので、光エレメント部Ｅの抗張力性は高い。したがって、光エレメント部Ｅに掛かる張力のために光ファイバ心線ｆに大きな張力が作用して伝送効率が損なわれるようなことはない。
【０００８】
〔解決手段２〕
解決手段２は、解決手段１について、ホットメルト性接着層を介してその防護テープをケーブルシースＣ1の内面に接着させたことである。
〔作用〕
ホットメルト接着層を介してその防護テープがケーブルシースの内面に接着されて一体化されており、また、防護テープはケーブルシースよりもその熱膨張率が小さいので、温度変化によるケーブルシースの伸縮を抑制する効果を奏する。  したがって、ケーブルシースの熱膨張収縮に伴う光ファイバテープ心線の伝送効率の低下が抑制され、温度変化に対して伝送効率が安定する。
【０００９】
〔実施態様１〕
実施態様１は、解決手段１について、その防護テープが厚さ０．１ｍｍのステンレステープであることである。
〔実施態様２〕
実施態様２は、解決手段２についてそのホットメルト性接着フィルムを上記防護テープに積層してあって、ケーブルシースを押し出し成形する時にホットメルト性接着フィルムを溶融させ、防護テープをケーブルシース内面に接着させたものであることである。
〔実施態様３〕
実施態様３は、解決手段１について、その引裂き紐がアラミド繊維製の１０００デニールの抗張力線材であることである。
【発明の効果】
【００１０】
解決手段１による発明は上記解決手段によるものであるから、上記のとおりの作用を奏し、上記課題を完全に解決することができるものである。すなわち、Ｖノッチを廃止し、防護テープで光ファイバ心線を表裏から挟む構造によって蝉による被害を確実に防止しつつ、分岐、接続等のための光ファイバ心線の取り出しを簡単・容易に行うことができる。
そしてまた、光ファイバテープ心線は表裏両側から防護テープで挟持されているので、この防護テープの介在によりリス等の齧歯類、カラス等の鳥類の攻撃からも防護されるので、光ファイバテープ心線の鳥獣類による損傷をも確実に回避することができる。
【００１１】
解決手段２による発明は、解決手段１についてその防護テープをホットメルト性接着層によりケーブルシース内面に接着させたものであり、また、防護テープはケーブルシースよりも熱膨張率が小さいので、ケーブルシースの温度変化による伸縮が防護テープによって抑制される。
したがって、温度変化による光ファイバ心線の伝送効率の低下が抑制され、温度変化に関わらず伝送効率が安定する。
【発明を実施するための最良の形態】
【００１２】
次いで、図１を参照しつつ実施例を説明する。
この実施例は、４本の光ファイバから成るリボン形状（テープ形状）の光ファイバ心線ｆの上下に厚さ０．１ｍｍのステンレス製金属テープｔを縦添えしたものであり、ステンレス製金属テープｔのケーブルシースＣ1に接する面にホットメルト性接着剤から成るフィルムを積層し、これを用いてケーブルシースＣ1にステンレス金属テープｔを融着させている。なお、ケーブルシースＣ1と支持線材Ｓの被覆Ｃ2とは首部ｍを介して連結されている。
引裂き紐Ｔは、アラミド繊維製の約１０００デニールの抗張力線材であり、またケーブルシースＣ1は難燃性ポリエチレン製である。
また、金属テープｔとして、鋼製或いはアルミ合金製テープを用いることもできる。防護テープを非金属材で構成する場合は、蝉、齧歯類からの攻撃に耐えられるもので、かつ抗張力性に優れた素材を用いる必要があり、ＦＲＰ板などが適している。
そして、光エレメント部Ｅの厚さは約２．５ｍｍ、幅は約６ｍｍであり、他方、支持線材Ｓは線径１．２ｍｍの鋼線である。
【００１３】
この実施例の光ケーブルの特性を調査したところ、測定波長１．５５μｍによる伝送における伝送損失は０．２５ｄＢ／ｋｍ以下であり、従来の光ファイバケーブルと同等の性能を有することが確認された。また、−３０℃〜＋７０℃の範囲での温度変化に対して、同測定波長による伝送における伝送損失変化は０．０５ｄＢ／ｋｍ以下であることが確認された。
【００１４】
また、図３に示す齧歯類模擬歯針（齧歯類模擬歯）の貫通試験を行って、これで光ファイバに断線などの損傷がないことを確認した。
この模擬歯針の貫通試験に用いた模擬歯針（模擬歯）ｎは、図２に示すもので、線径１ｍｍの鋼線の先端を長さ２ｍｍの範囲で斜めにして鋭利にした鋼製針である。
図３の実施例の光ケーブルの左右両サイドを、左右の押え板（間隔幅１０ｍｍ）で固定しておいて、これに上記模擬歯針ｎを静荷重３０Ｎで垂直な方向から突き刺し、その後、光ファイバの伝送効率の変化を測定して、光ファイバに損傷が生じないことを確認した。
【図面の簡単な説明】
【００１５】
【図１】はこの発明の解決手段１を概略的に示す断面図である。
【図２】は模擬歯針（模擬歯）の貫通試験で用いた模擬歯の平面図及び側面図である。
【図３】模擬歯針の貫通試験の状態を示す模式図である。
【図４】は従来の自己支持型引込用光ケーブルの断面図である。
【図５】は他の従来の自己支持型引込用光ケーブルの断面図である。
【符号の説明】
【００１６】
Ｃ1・・・ケーブルシース
Ｃ2・・・支持線材の被覆
Ｅ・・・光エレメント部
ｆ・・・光ファイバ心線
Ｎ・・・Ｖノッチ
ｎ・・・模擬歯針（模擬歯）
Ｒ・・・抗張力体
Ｓ・・・支持線材
Ｔ・・・引裂き紐
ｔ・・・防護テープ（金属テープ）
ｍ・・・首部
【図１】
2006113219.tif 000003
【図２】
2006113219.tif 000004
【図３】
2006113219.tif 000005
【図４】
2006113219.tif 000006
【図５】
2006113219.tif 000007